(57)【特許請求の範囲】
【請求項１】
セルラー通信システムにおいて複数の更なる通信デバイスと通信する通信デバイスであって、
前記通信システムの通信装置によって動作される少なくとも１つの通信セルにおいて、複数の通信リソースを用いて通信する手段と、
前記複数の通信リソースの各通信リソースに関連付けられた通信品質の測定値を取得するとともに、該通信品質の測定値を識別する情報を前記通信装置に提供する手段と、
前記通信装置によって送信された制御情報を探索するための複数の前記通信リソースであって、制御チャネルの制御チャネル要素（ＣＣＥ）を形成する前記通信リソースの数を含むセットを識別する手段と、
前記セットにおいて前記制御情報を探索する手段と、
を備え、
前記識別する手段は、前記通信品質の測定値に基づいて、前記セットにおける通信リソースの存在を識別する、
通信デバイス。
【請求項２】
前記識別する手段は、前記取得する手段によって取得された前記通信品質の測定値に基づいて前記セットに含まれている通信リソースを識別するように動作可能である、請求項１に記載の通信デバイス。
【請求項３】
前記通信デバイスは、前記通信リソースのそれぞれに関連付けられた通信品質のそれぞれの測定値を識別する前記情報を前記通信装置に提供した後、前記通信装置から、前記セットの前記通信リソースを識別する情報を受信するように動作可能であり、前記識別する手段は、前記通信装置から受信された前記セットの前記通信リソースを識別する前記情報に基づいて前記セットの前記通信リソースを識別するように動作可能である、請求項１に記載の通信デバイス。
【請求項４】
前記通信デバイスは、前記セットの前記通信リソースを識別する情報を前記通信装置にシグナリングするように動作可能である、請求項１又は２に記載の通信デバイス。
【請求項５】
前記通信デバイスは、前記セットの前記通信リソースを識別する前記情報を、前記通信品質の測定値を識別する前記情報の一部として前記通信装置にシグナリングするように動作可能である、請求項４に記載の通信デバイス。
【請求項６】
前記セットは前記通信リソースの数を含み、前記通信装置によって送信された制御情報を探索する探索空間を含む、請求項１〜５のいずれか１項に記載の通信デバイス。
【請求項７】
前記通信装置によって送信される前記制御情報は、物理ダウンリンク制御チャネル（ＰＤＣＣＨ）又はエンハンスト物理ダウンリンク制御チャネル（ｅＰＤＣＣＨ））を含む制御チャネル中に送信され、前記通信デバイスは、前記通信リソースのセット内を探索することによって前記制御チャネルを突き止めるように動作可能である、請求項１〜６のいずれか１項に記載の通信デバイス。
【請求項８】
前記制御チャネルは、少なくとも１つのＣＣＥを含む、請求項７に記載の通信デバイス。
【請求項９】
前記通信品質の測定値を識別する前記情報は、少なくとも１つのキャリア品質表示（ＣＱＩ）報告を含む、請求項１〜８のいずれか１項に記載の通信デバイス。
【請求項１０】
前記制御情報を探索する通信リソースは、前記通信品質の測定値に基づいて品質の高いものから順に前記セットに配列される、請求項１〜９のいずれか１項に記載の通信デバイス。
【請求項１１】
移動電話を含む、請求項１〜１０のいずれか１項に記載の通信デバイス。
【請求項１２】
セルラー通信システムにおいて複数の移動通信デバイスと通信する通信装置であって、
少なくとも１つの通信セルを動作させる手段と、
前記少なくとも１つのセル内において複数の通信リソースを用いて、少なくとも１つの移動通信デバイスと通信する手段と、
前記少なくとも１つの移動通信デバイスから、前記複数の通信リソースの各通信リソースに関連付けられた通信品質の測定値を識別する情報を受信する手段と、
前記少なくとも１つの移動通信デバイスのための制御情報を送信可能な制御チャネル要素（ＣＣＥ）を形成する前記通信リソースの数を含むセットを識別する手段と、
前記通信リソースのセットの少なくともサブセット中の前記少なくとも１つの移動通信デバイスの前記ＣＣＥを送信する手段と、を含み、
前記識別する手段は、前記セット中における前記通信リソースの存在を前記通信品質の測定値に基づいて識別する、通信装置。
【請求項１３】
前記識別する手段は、前記通信デバイスから受信された前記通信リソースのそれぞれに関連付けられた通信品質のそれぞれの測定値を識別する前記情報に基づいて、前記セットに含まれた通信リソースを識別するように動作可能である、請求項１２に記載の通信装置。
【請求項１４】
前記通信デバイスは、前記通信デバイスから、前記各通信リソースに関連付けられた通信品質の測定値を識別する前記情報とは別個に、前記セットの前記通信リソースを識別する情報を受信するように動作可能であり、前記識別する手段は、前記通信デバイスから受信された前記セットの前記通信リソースを識別する前記情報に基づいて前記セットの前記通信リソースを識別するように動作可能である、請求項１２に記載の通信装置。
【請求項１５】
前記通信装置は、前記通信装置に対する、前記セット中の前記通信リソースを識別する情報をシグナリングするように動作可能である、請求項１２又は１３に記載の通信装置。
【請求項１６】
前記装置は、前記通信リソースのセット内の物理ダウンリンク制御チャネル（ＰＤＣＣＨ）又はエンハンスト物理ダウンリンク制御チャネル（ｅＰＤＣＣＨ））を含む制御チャネルにおいて前記制御情報を送信するように動作可能である、請求項１２〜１５のいずれか１項に記載の通信装置。
【請求項１７】
前記制御チャネルは、少なくとも１つのＣＣＥを含み、前記通信装置は、前記セットの通信リソースを用いて前記各ＣＣＥを送信するように動作可能である、請求項１６に記載の通信装置。
【請求項１８】
基地局を含む、請求項１２〜１７のいずれか１項に記載の通信装置。
【請求項１９】
通信システムであって、請求項１〜１１のいずれか１項に記載の少なくとも１つの通信デバイスと、請求項１２〜１８のいずれか１項に記載の通信装置とを備える通信システム。
【請求項２０】
セルラー通信システムにおいて複数の更なる通信デバイスと通信する通信デバイスによって実行される方法であって、
前記通信システムの通信装置によって動作される少なくとも１つの通信セルにおいて、複数の通信リソースを用いて通信を行うこと、
前記複数の通信リソースの各通信リソースに関連付けられた通信品質の測定値を取得すること、
前記通信品質の測定値を識別する情報を前記通信装置に提供すること、
制御チャネルの制御チャネル要素（ＣＣＥ）を形成する前記通信リソースの数を含むセットを識別すること、
前記通信リソースのセットにおいて制御情報を探索すること、及び
前記セット中の通信リソースの存在は前記通信品質の測定値に基づいて識別される、方法。
【請求項２１】
セルラー通信システムにおいて複数の移動通信デバイスと通信する通信装置によって実行される方法であって、
少なくとも１つの通信セルを動作させることと、
複数の通信リソースを用いて、前記少なくとも１つのセル内において少なくとも１つの移動通信デバイスと通信を行うこと、
前記少なくとも１つの移動通信デバイスから、前記複数の通信リソースの各通信リソースに関連付けられた通信品質の測定値を識別する情報を受信すること、
前記少なくとも１つの移動通信デバイスのための制御情報を送信可能な制御チャネル要素（ＣＣＥ）を形成する前記通信リソースの数を含むセットを識別すること、         
前記通信リソースのセットの少なくともサブセットにおいて前記少なくとも１つの移動通信デバイスのためのＣＣＥを送信すること、及び、
前記セットに通信リソースの存在は、前記通信品質の測定値に基づいて、識別されること、を含む、方法。
【請求項２２】
コンピューター実施可能プログラムであって、プログラム可能なコンピューターデバイスに請求項２０又は２１に記載の方法を実行させるためのコンピューター実施可能命令を含む、コンピュータープログラム。
【発明の詳細な説明】
【技術分野】
【０００１】
本発明は、移動通信デバイス及び移動通信ネットワークに関し、限定はしないが、特に、第３世代パートナーシッププロジェクト（３ＧＰＰ）標準規格又はその均等物若しくは派生物に従って動作する移動通信デバイス及び移動通信ネットワークに関する。本発明は、限定はしないが、特に、ＵＴＲＡＮのロングタームエボリューション（ＬＴＥ）（発展型ユニバーサル地上無線アクセスネットワーク（Ｅ−ＵＴＲＡＮ）と呼ばれる）に関連する。
【背景技術】
【０００２】
移動（セルラー）通信ネットワークでは、移動デバイス（移動電話等のユーザー機器（ＵＥ）又は移動端末としても知られている）は、基地局を介してリモートサーバー又は他の移動デバイスと通信する。それらの互いの通信において、移動デバイス及び基地局は、通常は周波数帯域及び／又は時間ブロックに分割されている認可された無線周波数を用いる。様々な判定基準（送信されるデータの量、移動デバイスによってサポートされる無線技術、予想されるサービスの品質レベル、加入設定等）に応じて、各基地局は、その基地局にアタッチされた移動デバイスによって用いられる送信タイミング、周波数、送信電力、変調等の制御を担当する。スケジューリング決定事項は、送信時間間隔ごとに、例えば、１ｍｓごとの頻度で変更することができる。サービスに対する混乱を最小にするとともに利用可能な帯域幅の利用を最大にするために、基地局は、自身の送信電力を絶えず調整し、移動デバイスの送信電力も絶えず調整する。基地局は、周波数帯域及び／又はタイムスロットの移動デバイスへの割り当ても行い、基地局とアタッチされた移動デバイスとの間で用いられる適切な伝送技術の選択及び実施も行う。そうすることによって、基地局は、移動デバイスによって引き起こされる、互いに対する又は基地局に対するあらゆる有害な干渉の低減又は除去も行う。
【０００３】
移動デバイスは、基地局を介して通信することができるようにするために、基地局によって動作される制御チャネルを監視する必要がある。これらの制御チャネルのうちの１つ、いわゆる物理ダウンリンク制御チャネル（ＰＤＣＣＨ）は、スケジューリング割り当て及び他の制御情報を搬送する。ＰＤＣＣＨは様々な目的に応える。主として、ＰＤＣＣＨは、スケジューリング決定事項、すなわち、アップリンク通信及びダウンリンク通信のためのスケジューリング割り当てを個々の移動デバイスに伝達するのに用いられる。
【０００４】
ＰＤＣＣＨ上で搬送される情報は、ダウンリンク制御情報（ＤＣＩ）と呼ばれる。ＤＣＩのフォーマットは、制御メッセージの目的に応じて変化することができる。
【０００５】
追加の物理制御フォーマットインジケーターチャネル（ＰＣＦＩＣＨ）が、ＰＤＣＣＨのサイズ（例えば、ＰＤＣＣＨによって占有される直交周波数分割多重（ＯＦＤＭ）シンボルの数）を示すために基地局によって送信される。ＯＦＤＭＡを用いると、移動デバイスには、所定の時間量の間、特定の数のサブキャリアを含むブロックが配分される。これらは、ＬＴＥ仕様では物理リソースブロック（ＰＲＢ）と呼ばれる。したがって、ＰＲＢは、時間次元及び周波数次元の双方を有する。１つのＰＲＢは、１つのスロット（０．５ｍｓ）の継続時間に関して１２個の連続したサブキャリアからなる。ＰＲＢは、基地局によって割り当てられるリソース配分の最も小さな要素である。ＬＴＥ無線フレームは、１０個のサブフレームに分割され、各サブフレームは１．０ｍｓの長さである。各サブフレームは、２つのスロットに更に分割され、各スロットは、継続時間が０．５ｍｓである。スロットは、通常のサイクリックプレフィックスが用いられるのか又は拡張されたサイクリックプレフィックスが用いられるのかに応じて６つ又は７つのいずれかのＯＦＤＭシンボルからなる。
【０００６】
ＰＤＣＣＨ等の物理制御チャネルは、１つ又は幾つかの連続した制御チャネル要素（ＣＣＥ）のアグリゲーションで送信される。ここで、制御チャネル要素は９つのリソース要素グループ（ＲＥＧ）に対応し、各ＲＥＧは４つのリソース要素（ＲＥ）を有する。
【０００７】
移動デバイスが最初にオンに切り替えられるか又は基地局によってサービングされるエリアに達すると、この移動デバイスは、その基地局によって用いられる周波数帯域（複数の場合もある）において制御チャネルのロケーションを探す。例えば、移動デバイスは、ＰＤＣＣＨのロケーション及びフォーマット並びにＤＣＩフォーマットの全ての可能な組み合わせを調べ、それらのメッセージに基づいて動作する必要がある。全ての可能な組み合わせを復号化するには、移動デバイスは多くのＰＤＣＣＨの復号化を試みる必要があるので、３ＧＰＰは、ＬＴＥの代替の手法を規定した。この代替の手法によれば、基地局によってサービングされる移動デバイスごとに、ＰＤＣＣＨを配置することができる限られたＣＣＥロケーションのセットが設定される。移動デバイスがそのＰＤＣＣＨを見つけることができるこのＣＣＥロケーションのセットは、例えば、３ＧＰＰ  ＴＲ３６．２１３標準規格のセクション９．１．１に記載されているように「探索空間」とみなすことができる。
【０００８】
ＬＴＥでは、探索空間は、ＰＤＣＣＨフォーマットごとにサイズが異なる。その上、別々の専用探索空間及び共通探索空間が規定されている。ここで、専用探索空間は、ＵＥごとに個々に構成される一方、全ての移動デバイスには、共通探索空間の範囲が知らされる。
【０００９】
２０ＭＨｚを超えるシステム帯域幅のダウンリンク動作は異なる周波数における複数のコンポーネントキャリアのアグリゲーションに基づくことが、３ＧＰＰ標準化プロセスの一環として決定されている。そのようなキャリアアグリゲーション（ＣＡ）は、連続的なスペクトルを有するシステム及び有しないシステム（例えば、不連続なシステムは、８００ＭＨｚ、２ＧＨｚ、及び３．５ＧＨｚにおいてコンポーネントキャリアを備える場合がある）の双方における動作をサポートするのに用いることができる。レガシー移動デバイスは、単一の後方互換のコンポーネントキャリアを用いてのみ通信することができるが、より進化したマルチキャリア対応端末は、複数のコンポーネントキャリアを同時に用いることができる。
【００１０】
キャリアアグリゲーションは、システム帯域幅が連続的であり、２０ＭＨｚを超えない場合であっても、複数のキャリアが、種々の電力クラスセル間だけでなく、オープンアクセスセルと限定加入者グループ（ＣＳＧ）セルとの間でも干渉管理を可能にするので、異種ネットワーク（ＨｅｔＮｅｔ）において特に有益である可能性がある。長期リソース分割は、キャリアを或る特定の電力クラスのセル（マクロ／ピコ／ＣＳＧ）に排他的に専用化することによって実行することができる。
【００１１】
３ＧＰＰは、新たなキャリアタイプ（ＣＡエンハンスメントとしても知られている）、協調マルチポイント送受信（ＣｏＭＰ）技術、及びダウンリンク多入力多出力（ＤＬ  ＭＩＭＯ）技術を含むキャリアアグリゲーション（ＣＡ）をサポートするいわゆるエンハンスト物理ダウンリンク制御チャネル（ｅＰＤＣＣＨ）を導入することを検討した。ｅＰＤＣＣＨは、
・増加した制御チャネル容量、
・周波数領域のセル間干渉制御（ＩＣＩＣ）、
・制御チャネルリソースの改善された空間再利用、
・ビームフォーミング及び／又はダイバーシティ、
・新たなキャリアタイプ（複数の場合もある）、
・マルチキャストブロードキャスト単一周波数ネットワーク（ＭＢＳＦＮ）サブフレーム、
・同じキャリア上に共存するレガシーユーザー機器（ＵＥ）、
・周波数選択性スケジューリング、並びに
・セル間干渉の緩和、
をサポートすることが有利である。
【発明の概要】
【発明が解決しようとする課題】
【００１２】
しかしながら、新たな制御チャネル（ｅＰＤＣＣＨ）の導入は、この制御チャネルを、関連付けられた無線フレームにおいてどのようにしてどの箇所でシグナリングするのかという課題、及びユーザー機器がこの制御シグナリングを効率的に突き止めて(探索して)解釈することをどのようにして保証するのかという課題を提示する。
【００１３】
本発明は、上記課題に少なくとも部分的に対処するシステム、デバイス、及び方法を提供しようとするものである。
【課題を解決するための手段】
【００１４】
１つの様態によると、本発明はセルラー通信システムにおいて複数の更なる通信デバイスと通信する通信デバイスを提供し、
この通信デバイスは、前記通信システムの通信装置によって動作される少なくとも１つの通信セルにおいて、複数のサブフレームを用いて通信する手段であって、各サブフレームは、複数の通信リソースを含む、通信する手段と、
前記通信リソースのそれぞれに関連付けられた通信品質のそれぞれの測定値を取得するとともに、該通信品質の測定値を識別する情報を前記通信装置に提供する手段と、
前記通信装置によって送信された制御情報を探索する複数の前記通信リソースを含むセットを識別する手段であって、該セットに通信リソースが存在することは、前記通信品質の測定値に基づいている、識別する手段と、
前記通信リソースのセットにおいて制御情報を探索する手段と、
を備える。
【００１５】
前記識別する手段は、前記取得する手段によって取得された前記通信品質の測定値に基づいて前記セットに含まれた通信リソースを識別することができる。
【００１６】
前記通信デバイスは、前記通信リソースのそれぞれに関連付けられた通信品質のそれぞれの測定値を識別する前記情報を前記通信装置に提供した後、前記通信装置から、前記セットの前記通信リソースを識別する情報を受信することができ、前記識別する手段は、前記通信装置から受信された前記セットの前記通信リソースを識別する前記情報に基づいて前記セットの前記通信リソースを識別するように動作可能である。
【００１７】
前記通信デバイスは、前記セットの前記通信リソースを識別する情報を前記通信装置にシグナリングすることができる。前記通信デバイスは、前記セットの前記通信リソースを識別する前記情報を、前記通信品質の測定値を識別する前記情報の一部として前記通信装置にシグナリングすることができる。
【００１８】
１つの可能な形態として、前記通信リソースのセットは、第１のセットを含むことができ、前記デバイスは、前記通信デバイスのための制御情報が前記通信リソースの第１のセットにおいて見つからない場合に、前記通信装置によって送信された制御情報を探索する複数の前記通信リソースを含む第２のセットを、所定の判定基準に基づいて識別する手段を更に備えることができ、該探索する手段は、前記通信デバイスのための制御情報が前記通信リソースの第１のセットにおいて見つからない場合に、前記通信リソースの第２のセットにおいて制御情報を探索するように動作可能であることができる。
【００１９】
前記識別する手段は、前記少なくとも１つのセルに関連付けられたセル識別情報と、前記複数のサブフレームのうちの少なくとも１つに関連付けられたサブフレーム番号とのうちの少なくとも一方に基づいて、前記セットに含める通信リソースを識別することができる。前記識別する手段は、周波数が連続的である前記通信リソースのサブセットであって、前記セル識別情報及び前記サブフレーム番号のうちの前記少なくとも一方に基づいて選択することができるサブセットから、前記セットに含める通信リソースを識別することができる。前記識別する手段は、周波数が分散している前記通信リソースのサブセットであって、前記セル識別情報及び前記サブフレーム番号のうちの前記少なくとも一方に基づいて選択することができるサブセットから、前記セットに含める通信リソースを識別することができる。
【００２０】
前記通信装置によって送信された制御情報を探索する複数の前記通信リソースを含む前記セットは、探索空間を含むことができる。
【００２１】
前記通信装置によって送信される前記制御情報は、制御チャネル（例えば、物理ダウンリンク制御チャネル（ＰＤＣＣＨ）又はエンハンスト物理ダウンリンク制御チャネル（ｅＰＤＣＣＨ））において送信することができ、前記デバイスは、前記通信リソースのセット内を探索することによって前記制御チャネルを突き止めることができる。
【００２２】
前記制御チャネルは、少なくとも１つの制御チャネル要素（ＣＣＥ）を含むことができる。前記通信品質の測定値を識別する前記情報は、少なくとも１つのキャリア品質表示（ＣＱＩ）報告を含むことができる。前記制御情報を探索する通信リソースは、前記通信品質の測定値に基づいて品質の高いものから順に前記セットに配列することができる。
【００２３】
本デバイスは移動電話を含むことができる。
【００２４】
別の様態によれば、本発明は、セルラー通信システムにおいて複数の移動通信デバイスと通信する通信装置を提供し、
この通信装置は、少なくとも１つの通信セルを動作させる手段と、
複数のサブフレームを用いて、前記少なくとも１つのセル内において少なくとも１つの移動通信デバイスと通信する手段であって、各サブフレームは、複数の通信リソースを含む、通信する手段と、
前記少なくとも１つの移動通信デバイスから、前記通信リソースのそれぞれに関連付けられた通信品質のそれぞれの測定値を識別する情報を受信する手段と、
前記少なくとも１つの移動通信デバイスのための制御情報の可能な送信に用いられる複数の前記通信リソースを含むセットを識別する手段であって、前記セットに通信リソースが存在することは、前記通信品質の測定値に基づいている、識別する手段と、
前記通信リソースのセットの少なくともサブセットにおいて前記少なくとも１つの移動通信デバイスのための制御情報を送信する手段と、
を備える。
【００２５】
前記識別する手段は、前記通信デバイスから受信された前記通信リソースのそれぞれに関連付けられた通信品質のそれぞれの測定値を識別する前記情報に基づいて、前記セットに含める通信リソースを識別することができる。
【００２６】
前記通信デバイスは、前記通信デバイスから、前記通信リソースのそれぞれに関連付けられた通信品質のそれぞれの測定値を識別する前記情報とは別個に、前記セットの前記通信リソースを識別する情報を受信することができ、前記識別する手段は、前記通信デバイスから受信された前記セットの前記通信リソースを識別する前記情報に基づいて前記セットの前記通信リソースを識別することができる。
【００２７】
前記通信装置は、前記通信装置に、前記セットの前記通信リソースを識別する情報をシグナリングすることができる。
【００２８】
前記通信リソースのセットは、第1のセットを含むことができる。前記装置は、前記通信リソースのそれぞれに関連付けられた通信品質のそれぞれの測定値を識別する前記情報の前記通信装置による受信及び解釈が成功しなかった場合に、所定の判定基準に基づいて前記少なくとも１つの移動通信デバイスのための制御情報の可能な送信に用いられる複数の前記通信リソースを含む第２のセットを識別する手段を更に備えることができ、前記送信する手段は、前記通信リソースのそれぞれに関連付けられた通信品質のそれぞれの測定値を識別する前記情報の前記通信装置による受信及び解釈が成功しなかった場合に、前記通信リソースの第２のセットの少なくともサブセットにおいて前記少なくとも１つの移動通信デバイスのための制御情報を送信することができる。
【００２９】
本装置は、基地局を含むことができる。
【００３０】
別の様態によれば、本発明は、セルラー通信システムにおいて複数の更なる通信デバイスと通信する通信デバイスを提供し、
この通信デバイスは、前記通信システムの通信装置によって動作される少なくとも１つの通信セルにおいて、複数のサブフレームを用いて通信する手段であって、各サブフレームは、複数の通信リソースを含む、通信する手段と、
前記通信装置に送信された情報に基づいて、前記通信装置によって送信された制御情報を探索する複数の前記通信リソースを含む第１のセットを識別する手段と、
前記通信デバイスのための制御情報が前記通信リソースの第１のセットに見つからなかった場合に、所定の判定基準に基づいて、前記通信装置によって送信された制御情報を探索する複数の前記通信リソースを含む第２のセットを識別する手段と、
前記通信リソースの第１のセットにおいて制御情報を探索するとともに、前記通信デバイスのための制御情報が前記通信リソースの第１のセットに見つからない場合に、前記通信リソースの第２のセットにおいて制御情報を探索する手段と、
を備える。
【００３１】
別の様態によれば、本発明は、セルラー通信システムにおいて複数の移動通信デバイスと通信する通信装置を提供し、
この通信装置は、少なくとも１つの通信セルを動作させる手段と、
前記少なくとも１つのセル内において複数のサブフレームを用いて少なくとも１つの移動通信デバイスと通信する手段であって、各サブフレームは、複数の通信リソースを含む、通信する手段と、
前記少なくとも１つの移動通信デバイスからの情報の該通信装置による受信及び解釈が成功した場合に、前記移動通信デバイスから受信された情報に基づいて前記少なくとも１つの移動通信デバイスのための制御情報の可能な送信に用いられる複数の前記通信リソースを含む第１のセットを識別する手段と、
前記少なくとも１つの移動通信デバイスからの前記情報の該通信装置による受信及び解釈が成功しなかった場合に、所定の判定基準に基づいて前記少なくとも１つの移動通信デバイスのための制御情報の可能な送信に用いられる複数の前記通信リソースを含む第２のセットを識別する手段と、
前記少なくとも１つの移動通信デバイスからの前記情報の該通信装置による受信及び解釈が成功した場合に、前記通信リソースの第１のセットの少なくともサブセットにおいて、及び前記移動通信デバイスからの前記情報の該通信装置による受信及び解釈が成功しなかった場合に、前記通信リソースの第２のセットの少なくともサブセットにおいて、前記少なくとも１つの移動通信デバイスのための制御情報を送信する手段と、
を備える。
【００３２】
別の様態によれば、本発明は、セルラー通信システムにおいて複数の更なる通信デバイスと通信する通信デバイスを提供し、
この通信デバイスは、関連付けられたセル識別情報を有するとともに前記通信システムの通信装置によって動作される少なくとも１つの通信セルにおいて、複数のサブフレームを用いて通信する手段であって、各サブフレームは、複数の通信リソースを含むとともに関連付けられたサブフレーム番号を有する、通信する手段と、
前記通信装置によって送信された制御情報を探索する複数の前記通信リソースを含むセットを識別する手段であって、前記セットに通信リソースが存在することは、前記セル識別情報及び前記サブフレーム番号のうちの少なくとも一方に基づいている、識別する手段と、
前記通信リソースのセットにおいて制御情報を探索する手段と、
を備える。
【００３３】
別の様態によれば、本発明は、セルラー通信システムにおいて複数の移動通信デバイスと通信する通信装置を提供し、
この通信装置は、対応するセル識別情報を有する少なくとも１つの通信セルを動作させる手段と、
前記少なくとも１つのセル内において、複数のサブフレームを用いて少なくとも１つの移動通信デバイスと通信する手段であって、各サブフレームは、複数の通信リソースを含むとともに関連付けられたサブフレーム番号を有する、通信する手段と、
前記少なくとも１つの移動通信デバイスのための制御情報の可能な送信に用いられる複数の前記通信リソースを含むセットを識別する手段であって、前記セットに通信リソースが存在することは、前記セル識別情報及び前記サブフレーム番号のうちの少なくとも一方に基づいている、識別する手段と、
前記通信リソースのセットの少なくともサブセットにおいて前記少なくとも１つの移動通信デバイスのための制御情報を送信する手段と、
を備える。
【００３４】
本発明の様態は、対応するシステム、手法並びに上記で示した、又は特許請求の範囲において記載される様態及び可能な形態において記述されるような方法を実行するようにプログラマブルプロセッサをプログラムするように、及び／又は特許請求の範囲のいずれかの請求項において記載される装置を提供するように適切に構成されたコンピューターをプログラムするように動作可能である、その上に記憶された命令を有するコンピューター可読記憶媒体のようなコンピュータープログラム製品にまで及ぶ。
【００３５】
本明細書（特許請求の範囲を含む）において開示され、及び／又は図面において示される各特徴は、開示され、及び／又は図示される任意の他の特徴から独立して（又はそれらと組み合わせて）本発明に組み込まれる場合がある。詳細には、限定はしないが、特定の独立請求項に従属する請求項のうちのいずれかの特徴は、任意の組み合わせにおいて又は個々に、その独立請求項に取り込まれる場合がある。
【００３６】
次に、本発明の実施形態を、単に例として、添付の図面を参照しながら説明する。
【図面の簡単な説明】
【００３７】
【図１】電気通信システムの概略図である。
【図２】図１の電気通信システムの無線フレームを示す図である。
【図３】図１の電気通信システムにおいて用いられるリソースグリッドの簡略化した説明図である。
【図４】図１の電気通信システムにおけるＣＱＩに基づく探索空間選択メカニズムの一例を示す図である。
【図５】図１の電気通信システムにおけるフォールバック探索空間選択メカニズムの一例を示す図である。
【図６】図１の電気通信システムの基地局の簡略化したブロック図である。
【図７】図１の電気通信システムの移動通信デバイスの簡略化したブロック図である。
【図８】図１の電気通信システムにおいて移動通信デバイスによって実行されるステップを示す一例示の流れ図である。
【図９】図１の電気通信システムにおいて基地局によって実行されるステップを示す一例示の流れ図である。
【図１０】図１の電気通信システムにおいて移動通信デバイスによって実行されるフォールバック動作のステップを示す一例示の流れ図である。
【図１１】図１の電気通信システムにおいて基地局によって実行されるフォールバック動作のステップを示す一例示の流れ図である。
【発明を実施するための形態】
【００３８】
概説
図１は、移動（セルラー）電気通信システム１を概略的に示しており、そのシステムでは、移動通信デバイス３のユーザーが、基地局５を介して、他のユーザーと通信することができる。図１に示されるシステムでは、図示される基地局５は、マルチキャリア環境において動作することができる発展型ユニバーサル地上波無線アクセスネットワーク（Ｅ−ＵＴＲＡＮ）基地局である。そのような基地局は、一般にｅＮＢ（進化型ＮｏｄｅＢ）と呼ばれる。この実施形態では、説明を分かりやすくするために、移動デバイス３は、一時に１つの基地局５とのみ通信するものと仮定する。ただし、配備済みのシステムでは、移動デバイス３は、幾つかの基地局と並列に通信する場合がある。
【００３９】
図１において、基地局５は、コンポーネントキャリアセットのそれぞれのコンポーネントキャリア（ＣＣ）Ｃ１及びＣ２を用いて複数のセルにおいて動作する。この実施形態では、基地局５は、コンポーネントキャリアＣ１をプライマリーセル（ＰＣｅｌｌ）を提供するプライマリーコンポーネントキャリアとして動作させ、コンポーネントキャリアＣ２をセカンダリーセル（ＳＣｅｌｌ）を提供するセカンダリーコンポーネントキャリアとして動作させる。基地局５は、ＰＣｅｌｌ用のキャリアＣ１を、ｅＰＤＣＣＨを有するスタンドアローンキャリアとして動作させる。このｅＰＤＣＣＨは、それ自身のコンポーネントキャリアＣ１のリソースをスケジューリングするのに用いることができる。コンポーネントキャリアＣ１のｅＰＤＣＣＨは、コンポーネントキャリアＣ２のリソースを用いて通信するときに移動デバイス３によって用いられるコンポーネントキャリアＣ２のリソースをスケジューリング（「クロスキャリアスケジューリング」）するのにも用いることができる。このｅＰＤＣＣＨは、１つ又は幾つかのエンハンスト制御チャネル要素（ｅＣＣＥ）のアグリゲーションで送信される。
【００４０】
移動デバイス３は、検出された信号品質についての規則的なフィードバックを基地局５に提供するように構成されている。このフィードバックは、移動デバイス３が基地局５と通信するようにスケジューリングされていない期間中に実行される信号測定に基づいている。測定の結果に基づいて、移動デバイス３は、報告を生成して基地局５に返信する。このフィードバックメカニズムは、チャネル品質表示（ＣＱＩ）と呼ばれ、送信のリソース配分、スケジューリング、及び電力を含む基地局５の動作を微調整するのに用いられる。移動デバイス３は、システム帯域幅の周波数領域における各物理リソースブロック（ＰＲＢ）又は各ＰＲＢグループのＣＱＩ等のチャネル状態情報（ＣＳＩ）を報告する。
【００４１】
この例では、各移動デバイス３には、制御情報を探索するｅＰＤＣＣＨの移動固有セットを含むそれ自身の移動デバイス固有探索空間が提供されることが有利である。この探索空間は、基地局に周期的に送信されるＣＱＩ報告に基づいて動的に構成（及び再構成）される。具体的には、探索空間は、最良の信号品質を有するものであると報告されたリソースを用いて送信されるｅＰＤＣＣＨを含むように構成されている。そのようなＣＱＩに基づく探索空間は、移動デバイス３及び基地局５の双方が、追加の明示的なシグナリングを伴わずにＣＱＩ報告を用いることによって有利に決定することができ、したがって、移動デバイス３及び基地局５の双方は、どの時点においても、移動デバイスが制御情報を探す探索空間を知っていることになる。移動デバイス３及び基地局５にとって、移動デバイス３によって示されるような最も高い品質の信号を有するリソースを用いて制御情報を送信できる（したがって、エラーなしで送信する可能性が最も高い）点で有効である。さらに、探索空間を最小にすることができ、それによって、制御信号を突き止めるのに要する時間の長さ及び用いられる処理リソースが削減される。
【００４２】
各セルにおいてｅＰＤＣＣＨを送信するのに用いられるリソースは、近隣セル間又は重複セル間のｅＰＤＣＣＨ干渉を軽減するように制限されることが有利である。具体的には、異なるセルにおいては、異なるリソースがｅＰＤＣＣＨを送信するのに用いられる。これは、異なるリソースが異なるセルによってｅＰＤＣＣＨの送信に用いられるように、動的な探索空間構成をセルの識別情報（例えば、セルＩＤ）に基づくものとすることによって達成される。特に有利な例では、セル固有探索空間が、セルの識別情報及び現在の通信用のサブフレームの番号の双方に基づいて設計される場合である。この場合、ｅＰＤＣＣＨの送信に利用可能なセル固有のリソースが、時間と共に変化するだけでなくセル識別情報に応じて変化し、それによって、特定のサブフレーム内のリソースの範囲が制限されているときであっても、リソースの範囲全体は、それにもかかわらず、経時的な確実に利用可能である。
【００４３】
基地局５は、ＣＱＩ報告が基地局５によって受信されていない場合又はエラーによってＣＱＩ報告を復号化することができない場合には、「フォールバック」探索空間をも用いるように構成されるのが有効である。移動デバイス３は、動的に構成された移動デバイス固有探索空間において制御シグナリングを見つけることができない場合に、このフォールバック探索空間にフォールバック(代替)される。したがって、フォールバック探索空間の使用は、移動デバイス３と基地局５との間の途切れない送信を確保するのに役立つ。
【００４４】
したがって、概観すると、この通信システムは、移動デバイス３がより良好なチャネル条件を有する周波数においてｅＰＤＣＣＨを送信することによって入手可能な周波数選択利得を有効に利用し、それによって、レガシーＰＤＣＣＨ探索空間の設計に優る大きな利点を提供する。
【００４５】
動作
図２は、図１の電気通信システム１の無線フレーム１４０を示している。無線フレーム１４０のリソースは、１０個のサブフレーム１４１に分割されている。それらのサブフレームのそれぞれにおいて、ＰＤＣＣＨ（例えば、レガシーデバイス用）を搬送するには、サブフレーム１４１の第１の部分１４２を用いることができる。歴史的には、各サブフレームの残りの部分１４３は、物理ダウンリンク共有チャネル（ＰＤＳＣＨ）を送信するのに用いられるリソースを含み、本実施形態では、この一部を、ｅＰＤＣＣＨを送信するのに用いることができる。
【００４６】
図３は、図１の電気通信システム１において用いられるＰＲＢペア１５１の一般的なリソースグリッドの簡略化した説明図を示している。このＰＲＢペアは、時間（すなわち、図３の横軸に沿った「シンボル」に対応する列）及び周波数（すなわち、図３の縦軸に沿った各「サブキャリア」に対応する行）において規定される複数のリソース要素１５７を含む。各ｅＰＤＣＣＨは、制御チャネル要素（「ｅＣＣＥ」）のアグリゲーションからなる。各ｅＣＣＥは、所定の数、例えばレガシーＰＤＣＣＨ  ＣＣＥと同じ数のリソース要素を占有する。各ｅＣＣＥは、ＰＲＢペア１５１内の固定ロケーションから開始する。この例では、１つのＰＲＢペア１５１が、３つのｅＣＣＥ１５３−１、１５３−２、及び１５３−３をサポートする。３つのシンボルの最初のリソース要素がレガシーＰＤＣＣＨに用いられない場合、それらの最初の３つのシンボルを第４のｅＣＣＥに用いることによって、ＰＲＢペア当たりの可能なｅＣＣＥの数を４つに増加させることができる。ＰＤＣＣＨ１５２は、一般に図３のＰＲＢペア１５１の左側エリアに示すように、サブフレーム１５１の最初の部分において搬送される。
【００４７】
ＰＲＢペア１５１の幾つかのリソース要素は、セル基準信号（ＣＲＳ:Cell Reference Signals）１５４及び復調基準信号（ＤＭ  ＲＳ:Demodulation Reference Signals）１５５を搬送するのにも用いられる。これらの双方は、基地局５によって所定の間隔で周期的にＰＲＢペア内の所定のロケーションにおいて送信される。これらの信号は、基準信号レベルを提供するのに用いられるとともに、基地局５の現在の動作を移動デバイス３に知らせるのに用いられる。リソース要素は、変化するエネルギーレベルで送信することができるが、ＣＲＳ１５４のリソース要素は、常に、既知（例えば、デフォルト）のエネルギーレベルで送信される。したがって、移動デバイス３は、ＣＲＳ１５４のリソース要素上で信号品質測定を実行することができ、これらの測定に基づいて、基地局５によって動作される（所与のセルの）所与の周波数帯域の感知された信号品質を基地局５に示すことができる。
【００４８】
（図３に見られるように）ＰＲＢペアの第４のシンボルから開始して最後のシンボルまで延びるリソースブロックペア１５１の残りのリソースブロックは、３つのｅＣＣＥエリア１５３−１〜１５３−３に分割されている。
【００４９】
特定の移動デバイスの探索空間は、その移動デバイス３の制御情報を探索するｅＰＤＣＣＨの集合体からなる。移動デバイス３は、あらゆるサブフレームにおいてその探索空間内の全てのｅＰＤＣＣＨを監視して、基地局５からのスケジューリンググラント等の制御情報を検出する。理想的には、探索空間のサイズは、移動デバイス３に対する処理負担を最小にするために可能な限り小さくあるべきである。しかしながら、探索空間が小さいほど、基地局のスケジューリングアルゴリズムに課される制限も大きくなる。
【００５０】
１つのｅＰＤＣＣＨを構成するｅＣＣＥの数は、アグリゲーションレベルと呼ばれ、移動デバイス３の探索空間は、複数のアグリゲーションレベルが混合した複数のｅＰＤＣＣＨを含む。表１は、移動デバイス３の探索空間の一般的なサイズを示している。このサイズは、レガシーＰＤＣＣＨの探索空間のサイズに基づいている。しかしながら、ｅＰＤＣＣＨの探索空間の実際のサイズは、３ＧＰＰによってまだ規定されておらず、上位レイヤシグナリングによって構成可能な場合さえある。
【００５１】
移動デバイス３のｅＰＤＣＣＨが送信されるとき、このｅＰＤＣＣＨを周波数領域における最良のロケーションに配置するために、各移動デバイスの探索空間の動的な構成が、この所与の移動デバイス３によって実行される周期的なＣＱＩ測定に基づいて実行される。次のセクションは、ＣＱＩに基づく探索空間選択のための方法をより詳細に説明している。以下では、「ＰＲＢ」は、「ＰＲＢペア」の省略表現として用いられる。
【００５２】
【表１】
0005930241.tif 000002
【００５３】
ＣＱＩに基づく探索空間選択
この例において、ＮｅＣＣＥは、システム帯域幅におけるｅＣＣＥの総数であり、０≦ｉ＜ＮｅＣＣＥは、各ｅＣＣＥを一意に識別するインデックスである。ｅＣＣＥは、周波数の低いものからの順で番号付けされるものと仮定する。具体的には、ｉ２＞ｉ１である場合、ｅＣＣＥ番号ｉ２を含むＰＲＢのＰＲＢ番号は、ｅＣＣＥ番号ｉ１を含むＰＲＢのＰＲＢ番号よりも小さくない。
【００５４】
アグリゲーションレベルＬについて、第ｍのｅＰＤＣＣＨ候補は、条件ｉ＝ｍ・Ｌ＋ｌを満たすＬ個のｅＣＣＥの連続的なセットからなる。ここで、０≦ｌ＜Ｌであり、
【数１】
0005930241.tif 000003
である。
【００５５】
上記は、各アグリゲーションレベルのｅＰＤＣＣＨ候補のセットを規定している。ＣＱＩに基づく探索空間選択の目的は、最良のチャネル品質を有するｅＰＤＣＣＨが選択されるように、これらのセットから取り出されたｅＰＤＣＣＨからなる各移動デバイス３用の探索空間を構築することである。
【００５６】
各移動デバイス３は、ＣＱＩ報告サブ帯域（以下、単にサブ帯域と呼ぶ）ごとにＣＱＩを報告する。ここで、ＣＱＩ報告サブ帯域は、連続的なＰＲＢのブロックである。サブ帯域のサイズ及びロケーションは、３ＧＰＰ  ＴＲ３６．２１３標準規格において指定されているようにシステム帯域幅に依存する。
【００５７】
図４は、図１の電気通信システム１におけるＣＱＩに基づく探索空間選択メカニズムの一例を示している。各移動デバイス３について、各アグリゲーションレベルにおいて、この手順は、明示的なシグナリングを伴わずに探索空間を決定するように、それぞれの移動デバイス３及び基地局５の双方によって実行される。
【００５８】
最初に、第１段階において、所与の移動デバイス３にとって最良のＣＱＩを有するサブ帯域（又は複数のサブ帯域）が識別される。これは、例えば、ＣＱＩ測定の結果が移動デバイス３又は基地局５においてそれぞれ利用可能になると、サブ帯域をそれらのＣＱＩパラメーターに従ってソートすることによって達成することができる。
【００５９】
第２段階において、第１段階において識別された単数又は複数のサブ帯域に属するアグリゲーションレベルＬの全てのｅＰＤＣＣＨ候補が見つけられる。ｅＰＤＣＣＨ候補ｍは、このｅＰＤＣＣＨ候補におけるｅＣＣＥの半分よりも多くがサブ帯域内に存在する場合、又はこのｅＰＤＣＣＨ候補のｅＣＣＥの正確に半分が最後のｅＣＣＥ（すなわち、ｅＣＣＥ番号ｉ＝ｍ・Ｌ＋（Ｌ−１））を含むサブ帯域内に存在する場合に、そのサブ帯域に属すると言われる。
【００６０】
次に、第３段階において、第２段階において見つけられたｅＰＤＣＣＨ候補のリストが、ｅＰＤＣＣＨ番号ｍの昇順でソートされる。次に、リスト上のｅＰＤＣＣＨ候補の数をＫとすると、リスト上の最初のＵＥ＿ＩＤ  ｍｏｄ  Ｋ個のエントリーが取り出され、末尾に移動される（ここで、整数ＵＥ＿ＩＤは、移動デバイス３及び基地局５の双方に知られている任意のＵＥ固有の識別子とすることができる）。
【００６１】
第４段階において、ｅＰＤＣＣＨ候補が、第３段階において生成されたソート済みのリストから読み出され、その移動デバイス用の探索空間に加えられる。これは、探索空間が必要とされるサイズに達するまで、又はリストが使い尽くされるまで繰り返される。リストが使い尽くされ、探索空間が必要とされるサイズに到達していない場合、次に最良のＣＱＩを有するサブ帯域（又は複数のサブ帯域）が見つけられ、上記手順が第２段階から繰り返される。
【００６２】
上記に説明した第１段階〜第４段階は、所与の移動デバイス３からのＣＱＩ報告に基づいて移動デバイス固有探索空間の動的な構成を有利に保証する。各移動デバイス固有探索空間は、セル内の全てのｅＰＤＣＣＨ候補からの最良の（又は最良に近い）ｅＰＤＣＣＨを含むことが有利である。基地局５は、報告されたＣＱＩに基づいてチャネル品質の高いものから順にｅＰＤＣＣＨを配分する。同じ技法を用いることによって、移動デバイス３は、そのＣＱＩに基づいてチャネル品質の高いものから順にｅＰＤＣＣＨを探索し、したがって、基地局５及び移動デバイス３の双方が、それらの間の追加のシグナリングを必要とすることなく、特定の移動デバイスの探索空間を識別することができる。したがって、基地局は、移動デバイスのｅＰＤＣＣＨを送信するための移動デバイス固有探索空間の適切なリソースを識別することができ、移動デバイスは、探索空間内においてスケジューリング割り当て等の制御情報を効率的に探索することができる。この技法によって、探索空間のサイズの（例えば、上位レイヤシグナリングによる）動的な構成も可能になる。
【００６３】
セル間干渉調整
基地局５又は近隣基地局によって動作されるセルの間のｅＰＤＣＣＨ干渉を低減するために、各セルにおいてｅＰＤＣＣＨを送信するのにどのＰＲＢを用いるのかを制限することが可能である。基地局５は、近隣セル又は重複セルにおいて同じＰＲＢを用いないように構成されることが有利である。
【００６４】
具体的には、この例では、上記に説明したｅＣＣＥ番号付けは、所与のセルにおいてｅＰＤＣＣＨ送信に利用可能なＰＲＢのみを考慮している。他のＰＲＢは省略されている（すなわち、他のＰＲＢはｅＣＣＥを含まない）。ＣＱＩに基づく探索空間選択手順の残りの部分は、前のセクションで説明したように実行される。
【００６５】
各セルがどのＰＲＢを用いることができるのかを制御するために、各セルには、探索空間の規定に用いられるＰＲＢのセットを識別する割り当て識別子（「割り当てＩＤ」）が与えられる。これを行う１つの方法は、以下のように、セルＩＤから割り当てＩＤを求めることである。
割り当てＩＤ＝セルＩＤ  ｍｏｄ  Ｐ、ここで、ＰはＰＲＢセットの数である。
【００６６】
これに関する一変形形態では、以下のように、例えば、現在のサブフレーム番号を用いることによって、特定のセルにおける割り当てＩＤを経時的に変化させることができる。
割り当てＩＤ＝（セルＩＤ＋Ｓｕｂｆｒａｍｅ＿Ｎｕｍｂｅｒ）ｍｏｄ  Ｐ
【００６７】
この実施形態では、以下のように、割り当てＩＤによって選択されるＰＲＢセットの規定のための２つのオプションが提供される。
・タイプ０：１つのセルにおいて用いられるＰＲＢペアがシステム帯域幅内の周波数領域において局所化している（すなわち、連続的である）局所送信、
・タイプ１：１つのセルにおいて用いられるＰＲＢペアがシステム帯域幅内の周波数領域において分散している分散送信。
【００６８】
表２は、５０個のＰＲＢ及びＰ＝３のシステム帯域幅に基づくセル固有探索空間の設計の一例を示している。
【００６９】
【表２】
0005930241.tif 000004
【００７０】
したがって、セルＩＤ及びサブフレーム番号に基づくセル固有探索空間の設計は、近隣セル間の干渉調整を達成するのに用いることができる。この例では、ｅＰＤＣＣＨ配分用に指定された帯域幅の小部分を、例えば、調整するセルの数に基づいて、上位レイヤシグナリングを介して再構成することができる。
【００７１】
フォールバック動作
基地局５が、移動デバイス３によって送信されたＣＱＩ報告（複数の場合もある）を正しく復号化するのに失敗した場合、基地局５は、移動デバイス３（もちろん、それ自身のＣＱＩデータを有する）が前提とするＣＱＩに基づく探索空間を導出することができない。したがって、基地局５は、スケジューリンググラントを所与の移動デバイス３に送信することができない。したがって、この状況から回復するために、移動デバイスのＣＱＩに基づく探索空間に加えて、移動デバイス３によって監視される「フォールバック:(代替)」探索空間が提供されることが有利である。そのようなフォールバック探索空間は、サブ帯域ＣＱＩ報告を生成しない移動デバイス３も用いることができるという付加的な利益を有する。
【００７２】
図５は、図１の電気通信システム１におけるフォールバック探索空間選択メカニズムの一例を示している。
【００７３】
フォールバック探索空間は、ＣＱＩに基づく探索空間にも用いられるｅＣＣＥを用いる。任意の所与のサブフレームにおいて、フォールバックｅＰＤＣＣＨを送信するのに用いられないフォールバック探索空間における任意のｅＣＣＥを用いて、ＣＱＩに基づくｅＰＤＣＣＨを送信することができる（この逆も同様である）。
【００７４】
フォールバック探索空間に用いられるアグリゲーションレベルをＬとすると、探索空間のサイズは、Ｌ個のｅＣＣＥの任意の倍数（すなわち、ｅＰＤＣＣＨの総数（whole numbere））とすることができ、正確なサイズは、システム帯域幅及び予想されるトラフィックに基づいて選ばれる。
【００７５】
信頼性のある送信を確保するために、各フォールバックｅＰＤＣＣＨは、好ましくは、周波数ダイバーシティを用いて送信される。すなわち、ｅＰＤＣＣＨを構成するｅＣＣＥは、周波数上、広く分散されるべきである。さらに、フォールバックｅＰＤＣＣＨが送信されるとき、送信されるフォールバックｅＰＤＣＣＨと同じｅＣＣＥのうちのいずれかにマッピングされたどのＣＱＩに基づくｅＰＤＣＣＨも、同じサブフレームにおいて送信することができない。好ましくは、スケジューラアルゴリズムに対するそのような制限は最小にされるべきである。特に、各フォールバックｅＰＤＣＣＨが、ＣＱＩに基づくｅＰＤＣＣＨと重複する数は、可能な限り少なくされるべきである。
【００７６】
フォールバック探索空間を構築するための方法を以下のとおりに説明する。
【００７７】
システム帯域幅における全てのｅＣＣＥは、サイズＢのｅＣＣＥの連続的なブロックに分割される。次に、これらのブロックのサブセットが、フォールバック探索空間を含むように選択される。フォールバック探索空間に必要とされるｅＣＣＥの総数をＮＦＢ（Ｌの倍数であり、ｅＰＤＣＣＨのサイズである）とし、セル内で利用可能なｅＣＣＥの総数をＮｅＣＣＥとすると、フォールバック空間を搬送するのに用いられるブロックは、この例では、以下によって与えられるｅＣＣＥ番号から開始するブロックを用いることによって選択される。
【数２】
0005930241.tif 000005
式中、
【数３】
0005930241.tif 000006
は、「床」関数を示し、
【数４】
0005930241.tif 000007
は、「天井」関数を示す。これは、フォールバック空間のブロックを利用可能な全ｅＣＣＥにわたって可能な限り均等に分散させる効果を有することが有利である。
【００７８】
例えば、Ｂ＝４、ＮｅＣＣＥ＝４８、及びＮＦＢ＝３２である場合、ｅＣＣＥ番号０、４、１２、１６、２４、２８、３６、及び４０から開始するブロックが用いられる。このケースは図５に示されている。図５は、Ｐ＝３個のセルを用いた干渉調整も前提としている。
【００７９】
Ｂの任意の値を用いることができるが、ブロッキング（blocking）の性能は、一般に、ＢがＣＱＩに基づく探索空間に用いられるアグリゲーションレベルのうちの１つと一致するように選ばれた場合に改善される。
【００８０】
フォールバック探索空間を構成するｅＣＣＥを選択した後、個々のｅＰＤＣＣＨがこれらのｅＣＣＥにマッピングされる。上記手順によって選択されたＮＦＢ個のｅＣＣＥのリスト内へのｅＣＣＥインデックスをｊとすると、フォールバック探索空間における第ｊのｅＣＣＥは、以下の式によって与えられる第ｍのｅＰＤＣＣＨに割り当てることができる。
【数５】
0005930241.tif 000008
式中、Ｓは、Ｌの約数である（例えば、Ｌ＝８である場合、Ｓは、１、２、４、又は８とすることができる）。事実上、Ｓの値は、各ｅＰＤＣＣＨに属するｅＣＣＥの周波数分布の程度を制御する。Ｓ＝１の場合は、完全な分散送信に対応し、Ｓ＝Ｌの場合は、完全な局所送信に対応する。中間の値は、「ブロックが分散している」とみなすことができる。
【００８１】
Ｓ＝１は、フォールバック探索空間とＣＱＩに基づく探索空間との間のブロッキングが相対的に不十分になることを犠牲にしてのみ、最も有利な周波数ダイバーシティを提供する。Ｓの中間の値は、これらの２つの要件間の良好なトレードオフを表す。幾つかの更なる例も図５に示されている。
【００８２】
移動通信デバイス
図６は、図１に示される移動通信デバイス３の主要構成要素を示すブロック図である。移動通信デバイス３は、マルチキャリア環境において動作することができる移動端末（又は「セル」電話）を含む。移動通信デバイス３は、少なくとも１つのアンテナ６０３を介して、基地局５に信号を送信し、基地局５から信号を受信するように動作可能である送受信機回路６０１を備える。移動デバイス３は、ユーザーが移動デバイス３とインターアクトすることを可能にするユーザーインターフェース６０５も備える。
【００８３】
送受信機回路６０１の動作は、メモリ６０９に記憶されたソフトウェアに従ってコントローラー６０７によって制御される。このソフトウェアは、特に、オペレーティングシステム６１１、通信制御モジュール６１３、測定モジュール６１５、制御チャネル探索空間選択モジュール６１７、及びフォールバックモジュール６１９を含む。
【００８４】
通信制御モジュール６１３は、関連付けられたコンポーネントキャリアＣ１、Ｃ２上での基地局５との通信を管理するように動作可能である。測定モジュール６１５は、ＣＳＩの測定を行うように移動通信デバイス３を構成する目的で基地局５から測定構成情報を受信する。
【００８５】
測定モジュール６１５は、ＣＳＩの測定の性能を管理し、関連付けられた測定報告を生成し、生成した報告を基地局５に送信する。測定モジュール６１５は、セルの基準信号受信電力（ＲＳＲＰ）も求める。この実施形態では、測定モジュール６１５は、移動デバイス３が基地局５と通信するようにスケジューリングされていない期間中に信号品質測定を実行するように動作可能である。測定の結果に基づいて、測定モジュール６１５は、ＣＳＩ報告（ＣＱＩを含む）を生成し、基地局５に返信する。
【００８６】
探索空間選択モジュール６１７は、ＣＱＩ等のＣＳＩの測定を用いて、移動デバイス３によって用いられるｅＰＤＣＣＨを搬送するｅＣＣＥリソースを決定するように動作可能である。この決定は、基地局５と移動デバイス３との間で送信されるサブフレーム１４１ごとに行うことができる。代替的に、この決定は、ＣＱＩ値が更新されるときは常に行うことができる。
【００８７】
フォールバックモジュール６１９は、ＣＳＩの測定が基地局５によって受信されなかった場合又は正しく復号化されなかった場合に、フォールバック探索空間を選択及び監視するように動作可能である。フォールバックモジュール６１９は、サブ帯域ＣＱＩ報告が（例えば、基地局５からの命令がない場合又は移動デバイス３の技術的限界のために）移動デバイス３によって生成されなかった場合にも、探索空間を選択するように動作可能である。
【００８８】
基地局
図７は、図１に示す基地局５の主要な構成要素を示すブロック図である。基地局５は、送受信機回路７０１を備えるＥ−ＵＴＲＡＮマルチキャリア対応基地局を含む。この送受信機回路は、１つ又は複数のアンテナ７０３を介して、移動デバイス３に信号を送信し、移動デバイス３から信号を受信するように動作可能である。基地局５は、ネットワークインターフェース７０５を介して、コアネットワーク７に信号を送信し、コアネットワーク７から信号を受信するように動作可能でもある。送受信機回路７０１の動作は、メモリ７０９に記憶されたソフトウェアに従ってコントローラー７０７によって制御される。
【００８９】
上記ソフトウェアは、特に、オペレーティングシステム７１１、通信制御モジュール７１３、測定モジュール７１５、制御チャネル探索空間選択モジュール７１７、及びフォールバックモジュール７１９を含む。
【００９０】
通信制御モジュール７１３は、そのコンポーネントキャリアセットのコンポーネントキャリアＣ１、Ｃ２上での移動デバイス３との通信を制御するように動作可能である。通信制御モジュール７１３は、この基地局５によってサービングされる移動デバイス３によって用いられるプライマリーコンポーネントキャリアＣ１及び拡張コンポーネントキャリアＣ２のリソースをスケジューリングすることも担当する。
【００９１】
測定モジュール７１５は、ＣＳＩの測定を開始するように移動デバイス３を構成するために移動デバイス３と通信するように動作可能である。測定モジュール７１５は、探索空間選択の目的でチャネル状態を評価するために、移動デバイス３から測定報告を受信して解析するように動作可能でもある。測定モジュール７１５は、送受信機回路７０１から、基地局５によってサービングされるセルにおいて送信された現在の基準信号電力も取得する。
【００９２】
探索空間選択モジュール７１７は、ＣＱＩ等のＣＳＩの測定を用いて、それぞれの移動デバイス（複数の場合もある）３用のｅＰＤＣＣＨを搬送するためのｅＣＣＥリソースを決定するように動作可能である。この決定は、基地局５と移動デバイス３との間で送信されるサブフレーム１４１ごとに行うことができる。代替的に、この決定は、ＣＱＩ値が更新されるときは常に行うことができる。
【００９３】
フォールバックモジュール７１９は、ＣＳＩの測定が基地局５によって受信されなかった場合又は正しく復号化されなかった場合に、フォールバック探索空間を選択するように動作可能である。フォールバックモジュール７１９は、サブ帯域ＣＱＩ報告が（例えば、基地局５からの命令がない場合又は移動デバイス３の技術的限界のために）移動デバイス３によって生成されなかった場合に、探索空間を突き止めるように動作可能でもある。
【００９４】
上記説明において、移動デバイス３及び基地局５は、理解を容易にするために、複数の離散的なモジュールを有するように説明されている。これらのモジュールは、例えば、既存のシステムが本発明を実施するように変更された或る特定の用途については、このように提供することができるが、他の用途、例えば、最初から本発明の特徴を考慮して設計されたシステムでは、これらのモジュールは、総合的なオペレーティングシステム又はコード内に組み込まれる場合があり、そのため、これらのモジュールは、離散的なエンティティとして認識できない場合がある。
【００９５】
図８は、図１の電気通信システム１において移動通信デバイス３によって実行されるステップを示す一例示の流れ図である。
【００９６】
この手順は、ステップｓ８０１から開始する。このステップにおいて、移動デバイス３は、基地局５によって動作される通信リソースの通信品質の測定値を取得する。この測定値は、例えば、基地局５によって送信された基準信号上で実行されるチャネル品質測定（図示せず）によって取得されたＣＱＩ値とすることができる。通信リソースは、例えば、基地局５のセル又はサブ帯域とすることができる。
【００９７】
次に、ステップｓ８０３において、移動デバイス３は、取得された測定値に基づいて、最も高いＣＱＩ値を有するサブ帯域を選択すること等によって探索空間を識別する。ステップｓ８０５において、移動デバイス３は、識別された探索空間において、移動デバイス固有制御チャネル等の制御情報を探索する。ステップｓ８０７に示すように、制御情報が見つかると、例えば、制御情報が、識別された探索空間内で基地局５によって移動デバイス３に送信されているとき、移動デバイス３は、その制御情報を適用する。例えば、移動デバイス３は、探索空間内の制御チャネル（例えば、ｅＰＤＣＣＨ）で搬送された命令に従ってユーザーデータを送信及び受信することができる。
【００９８】
この手順は、通信リソースの通信品質が変化し、移動デバイス３がその変化した通信品質（例えば、更新されたＣＱＩ）の新たな測定値を取得したときは常にステップｓ８０１から繰り返されることが有利である。
【００９９】
図９は、図１の電気通信システム１において基地局５によって実行されるステップを示す一例示の流れ図である。
【０１００】
この手順は、ステップｓ９０１から開始する。このステップにおいて、基地局５は、この所与の基地局５によって動作される通信リソースの通信品質の測定値を取得する。この測定値は、例えば、この基地局５によって送信された基準信号上で移動デバイス３によって実行されるチャネル品質測定（図示せず）を通じて取得されたＣＱＩ値とすることができる。通信リソースは、例えば、基地局５のセル又はサブ帯域とすることができる。
【０１０１】
次に、ステップｓ９０３において、基地局５は、取得された測定値に基づいて、最も高いＣＱＩ値を有するサブ帯域を選択すること等によって探索空間を識別する。最後に、ステップｓ９０５において、基地局５は、識別された探索空間内の移動デバイス固有制御チャネル（例えば、ｅＰＤＣＣＨ）等の所与の移動デバイス３のための制御情報を送信する。
【０１０２】
この手順は、通信リソースの通信品質が変化し、基地局５がその変化した通信品質（例えば、更新されたＣＱＩ）の新たな測定値を移動デバイス３から取得したときは常にステップｓ９０１から繰り返されることが有利である。
【０１０３】
図１０は、図１の電気通信システム１において移動通信デバイス３によって実行されるフォールバック動作のステップを示す一例示の流れ図である。
【０１０４】
この手順は、ステップｓ１００１から開始する。このステップにおいて、移動デバイス３は、基地局５によって動作される通信リソース（例えば、サブ帯域）の通信品質（例えば、ＣＱＩ）の測定値を取得する。
【０１０５】
次に、ステップｓ１００２において、移動デバイス３は、この移動デバイス３に固有の通信リソースの第１のセット（例えば、プライマリー探索空間）を規定する。この第１のセットは、取得された測定値に基づいて、例えば、サブ帯域のＣＱＩ値に基づいて最も高い品質のサブ帯域を選択することによって規定されることが有利である。ステップｓ１００３において、移動デバイス３は、例えば、フォールバックサブ帯域等の、この移動デバイス３用に確保されているサブ帯域を選択することによって、通信リソースの第２のセットも規定する。
【０１０６】
ステップｓ１００４において、移動デバイス３は、通信リソースの第１のセットにおいて制御情報を探索する。ステップｓ１００５において、移動デバイス３は、この移動デバイス３に専用化された制御情報を通信リソースの第１のセットにおいて見つけることができるか否かを判断する。この判断は、例えば、基地局５によって送信された制御情報と、送信された制御情報がこの移動デバイス３に固有の識別情報（例えば、ＵＥ−ＩＤ）を用いてスクランブルされているか否かを調べることとに基づくことができる。
【０１０７】
ステップｓ１００５における判断の結果が、この移動デバイス３の制御情報が通信リソースの第１のセットにあることを示している場合、移動デバイス３はステップｓ１００７に進む。ステップｓ１００５における判断の結果が、この移動デバイス３の制御情報が通信リソースの第１のセットにないことを示している場合、移動デバイス３はステップｓ１００６に進み、このステップにおいて、移動デバイスは、通信リソースの第２のセットにおいて制御情報を探索する。
【０１０８】
最後に、ステップｓ１００７において、移動デバイス３は、通信リソースの第１のセット又は第２のセットのいずれかにおいて見つけた制御情報（もしあれば）を適用する。
【０１０９】
この手順は、通信リソースの通信品質が変化し、移動デバイス３がその変化した通信品質（例えば、更新されたＣＱＩ）の新たな測定値を取得したときは常にステップｓ１００１から繰り返されることが有利である。
【０１１０】
図１１は、図１の電気通信システム１において基地局５によって実行されるフォールバック動作のステップを示す一例示の流れ図である。
【０１１１】
この手順は、ステップｓ１１０１から開始する。このステップにおいて、基地局は、基地局５によって動作される通信リソース（例えば、サブ帯域）に関する測定値である、移動デバイス３からの通信品質（例えば、ＣＱＩ）の測定値を待つ。
【０１１２】
ステップｓ１１０１において、基地局５は、通信品質の測定値の受信及び解釈に成功したか否かを調べる。成功した場合、基地局５はステップｓ１１０３に進み、このステップにおいて、基地局は、所与の移動デバイス３用の通信リソースの第１のセットを規定する。次に、ステップｓ１００５において、基地局５は、通信リソースの第１のセット内で、移動デバイス３に固有の制御情報（例えば、ｅＰＤＣＣＨ）を送信する。
【０１１３】
一方、ステップｓ１１０１において、基地局５は、通信品質の測定値の受信及び解釈に成功しなかったと判断した場合、ステップｓ１１０７に進む。ステップｓ１１０７において、基地局５は、例えば、フォールバックサブ帯域等の、所与の移動デバイス３用に確保されたサブ帯域を選択することによって、通信リソースの第２のセットを規定する。この場合、ステップｓ１１０９に示すように、基地局５は、制御情報を通信リソースの第２のセットで移動デバイス３に送信する。
【０１１４】
この手順は、通信リソースの通信品質が変化し、基地局５がその変化した通信品質（例えば、更新されたＣＱＩ）の新たな測定値を移動デバイス３から取得したときは常にステップｓ１１０１から繰り返されることが有利である。
【０１１５】
変更形態及び代替形態
上記で詳細な実施形態が説明された。当業者であれば理解するように、上記の実施形態及び変形形態に対し、これらの実施形態及び変形形態において具現化される本発明から依然として利益を受けながら、複数の変更及び代替を行うことができる。
【０１１６】
通信システム１は、Ｅ−ＵＴＲＡＮ基地局として動作する基地局５の観点から説明されているが、同じ原理は、マクロ基地局若しくはピコ基地局として動作する基地局、フェムト基地局、基地局機能の要素を提供する中継ノード、ホーム基地局（ＨｅＮＢ）、又は他のそのような通信ノードに適用することができることが理解されるであろう。
【０１１７】
図３では、３つのｅＣＣＥエリアが示されているが、異なる数のｅＣＣＥを１つのサブフレームにおいて規定することができること、及びｅＣＣＥの数はサブフレームごとに異なる場合があることが理解されるであろう。
【０１１８】
図４に示す一例の手順は、純粋にアルゴリズム的な見地から説明されているが、同じ結果に達する、より効率的な実施態様が存在し得ることが理解されるであろう。例えば、実際には、第３段階における説明によって暗に示されるようにＫ個のｅＰＤＣＣＨ候補のリスト全体を記憶及び操作する必要はない。なぜならば、一般に、それらの全てが探索空間に含まれるとは限らないからである。
【０１１９】
第２段階において、ｅＰＤＣＣＨ候補がサブ帯域に属するか否かを判定するための判定基準は、ｅＰＤＣＣＨ候補の最後の（又は代替的に最初の）ｅＣＣＥがサブ帯域内に存在するか否かを調べることによって簡略化することができる。
【０１２０】
第３段階の目的は、同じ最良のＣＱＩのサブ帯域を共有する移動デバイス３が同じｅＰＤＣＣＨ候補を選択することを防止するように試みることである。これは、ＵＥ＿ＩＤに基づく循環シフトに従ってｅＰＤＣＣＨ候補を再順序付けすることによって達成されるが、他の再順序付け方法（例えば、ＵＥ＿ＩＤに基づく擬似ランダムの再順序付け）も適用することができる。
【０１２１】
探索空間選択手順はアグリゲーションレベルごとに繰り返されることが述べられているが、代替的に、この手順は、最も高いアグリゲーションレベルのみに適用することができる。したがって、最も高いアグリゲーションレベルのｅＰＤＣＣＨ候補が取得されると、これらのｅＰＤＣＣＨ候補を細分して、下位のアグリゲーションレベル（各レベルにおいて必要とされるｅＰＤＣＣＨ候補の数のみを維持する）のｅＰＤＣＣＨ候補を取得することができる。これは、この手順を有利に単純化し、ｅＣＣＥの同じセットがアグリゲーションレベルごとに再利用されることも保証し、それによって、移動デバイス３における処理の複雑さを削減する。
【０１２２】
探索空間内のｅＰＤＣＣＨは、チャネル品質の高いものから順にソートされるので、基地局５は、移動デバイス３に送信するときに可能な限り探索空間内の最初のｅＰＤＣＣＨを用いるように試みる。同様に、移動デバイス３は、平均復号化遅延を削減するために、同じ順序での復号化を試みるべきである。
【０１２３】
図４に示す手順によれば、所与の移動デバイス３の探索空間は、新たなＣＱＩ報告が生成されたときに変化する場合がある。しかしながら、移動デバイス３においてＣＱＩを測定することと、ＣＱＩ報告が基地局５において受信されて処理されることとの間に少数のサブフレームの有限遅延が存在するので、古い探索空間と新たな探索空間との間の切り替えは、基地局５及び移動デバイス３の双方が同じサブフレーム１４１において切り替えを実行するように同期される。これは、例えば、基地局５及び移動デバイス３の双方が、ＣＱＩ報告が基地局５に送信された後に固定数のサブフレームであるスケジューリングラウンドにおいてこの変更を適用することによって行うことができる。この遅延は、別個の（例えば、上位レイヤ）シグナリングによって構成することもできるし、固定値（例えば、関連する標準規格において指定されている）として規定することもできる。
【０１２４】
上記に説明したＣＱＩに基づく探索空間選択手順では、探索空間は、ＣＱＩ報告に基づいて基地局５及び移動デバイス３によって別々に計算される。代替の手法によれば、探索空間のセットを事前に規定することができ、このセットから、移動デバイス３は、その好ましい探索空間を選択して、選択した探索空間を基地局５に報告することができる。この場合、移動デバイス３は、例えば、その信号品質測定の結果等を用いてその好ましい探索空間を選択する。この方法の利点は、この方法によって、異なる探索空間における移動デバイス３間のブロッキングの可能性がより低くなるように、事前に規定される探索空間を規定することが可能になる一方、それでも、移動デバイス３がその現在のチャネル状態にとって最も好都合な探索空間を選ぶことを可能にすることによって、周波数選択利得が提供されるということである。
【０１２５】
この方法は、新たな又は変更されたアップリンクシグナリングを必要とする。例えば、１６個の探索空間のセットが規定されていた場合、選ばれたものは、移動デバイス３から基地局５への４ビット値の送信によって示すことができる。１つのオプションは、このシグナリングを、移動デバイス３から基地局５に送信される既存のＣＱＩ報告に追加することである。
【０１２６】
この手法の一変形形態によれば、移動デバイスがその選択を明示的に示すのではなく、探索空間は、移動デバイス３及び基地局５の双方が、ＣＱＩ情報に基づいて最良の事前に規定された探索空間を選択するための同じアルゴリズムを適用することによって選択することができる。
【０１２７】
図１０の説明において、ステップｓ１００３（第２のセットを規定する）は、通信リソースの第１のセットを規定した後に移動デバイス３によって実行されるものとして説明されている。ステップｓ１００３は、ステップｓ１００２の前に実行することができることが理解されるであろう。代替的に、ステップｓ１００３は、ステップｓ１００５の後にのみ実行することができる。
【０１２８】
上記実施形態では、コンポーネントキャリアＣ１及びＣ２は、同じ基地局によって送信される。しかしながら、コンポーネントキャリアは、異なる基地局によって送信することができることが理解されるであろう。この場合、双方の基地局が、それらのセルに関するそれぞれのＣＱＩ表示を移動デバイスから受信することができるが、これらの基地局のうちの一方しか、スケジューリング決定及び探索空間配分を担当しない。２つ（以上）の基地局が、それらの間でＣＱＩ報告を交換するように構成することができ、したがって、ｅＰＤＣＣＨ探索空間を配分する基地局は、ＣＱＩ報告（複数の場合もある）を、移動デバイスから直接取得することができるし、それらの間にある別の基地局を介して（又は任意の追加のネットワークエンティティを介して）取得することもできる。
【０１２９】
提案したｅＰＤＣＣＨ探索空間の設計は、キャリアアグリゲーションのサポートに影響を及ぼさない。なぜならば、既存のＵＥ監視手順及びＤＣＩフォーマットを再利用することができるからである。基地局５がプライマリーセル上でセカンダリーコンポーネントキャリアをスケジューリングするクロスキャリアスケジューリングの場合、ｅＰＤＣＣＨはプライマリーセル内で送信されるので、プライマリーセルのＣＱＩフィードバックが用いられる。同様に、プライマリーセルのセルＩＤのみが、セル固有探索空間の配分に必要とされる。この場合、キャリア表示フィールドを用いて構成された移動デバイス３によって監視されるｅＰＤＣＣＨ候補の数（すなわち、探索空間のサイズ）は、３ＧＰＰ  ＴＲ３６．２１３標準規格に記載されているように、既存の式ｍ’＝ｍ＋Ｍ（Ｌ）・ｎＣＩに基づくことができる。
【０１３０】
上記の実施形態では、移動電話ベースの電気通信システムが説明された。当業者であれば理解するように、本出願において説明されるシグナリング技法は、他の通信システムにおいて用いることができる。他の通信ノード又はデバイスには、例えば、携帯情報端末、ラップトップコンピューター、ウェブブラウザー等のようなユーザーデバイスを含めることができる。当業者であれば理解するように、上述された中継システムが移動通信デバイスのために用いられることは必須ではない。このシステムを用いて、基地局のカバレッジを、移動通信デバイスとともに、又はその代わりに、１つ又は複数の固定のコンピューティングデバイスを有するネットワークにおいて拡張することができる。
【０１３１】
上記の実施形態では、基地局５及び移動通信デバイス３は、それぞれ送受信機回路部を備える。通常、この回路部は専用ハードウェア回路によって形成される。しかしながら、幾つかの実施形態では、送受信機回路部の一部を、対応するコントローラーによって実行されるソフトウェアとして実装することができる。
【０１３２】
上記の実施形態では、複数のソフトウェアモジュールが説明された。当業者であれば理解するように、それらのソフトウェアモジュールは、コンパイル済みの形式又は未コンパイルの形式において与えることができ、コンピューターネットワークを介して信号として、又は記録媒体において基地局又は中継局に供給することができる。さらに、このソフトウェアの一部又は全部によって実行される機能は、１つ又は複数の専用のハードウェア回路を用いて実行することもできる。
【０１３３】
種々の他の変更形態は当業者には明らかであり、ここでは、これ以上詳しくは説明しない。
【０１３４】
以下は、現在提案されている３ＧＰＰ標準規格において本発明を実施することができる方法の詳細な記述である。種々の特徴が不可欠であるか、又は必要であるものとして説明されるが、これは、例えば、提案された３ＧＰＰ標準規格によって課せられる他の要件に起因して、その標準規格の場合にのみ当てはまる場合がある。それゆえ、これらの陳述は、本発明を多少なりとも限定すると解釈されるべきではない。
【０１３５】
１．序論
参考文献［１］から、ＣＡエンハンスメントの新たなキャリアタイプ、ＣｏＭＰ、及びＤＬ  ＭＩＭＯからの検討に基づくＲＡＮ１＃６６ｂｉｓからの作業仮説は以下のとおりである。
・エンハンスト物理ダウンリンク制御チャネルを導入する。このエンハンスト物理ダウンリンク制御チャネルは、
−増加した制御チャネル容量をサポートすることができ、
−周波数領域ＩＣＩＣをサポートすることができ、
−制御チャネルリソースの改善された空間再利用を達成することができ、
−ビームフォーミング及び／又はダイバーシティをサポートすることができ、
−新たなキャリアタイプに関してＭＢＳＦＮサブフレームにおいて動作することができ、
−レガシーＵＥと同じキャリア上に共存することができる。
【０１３６】
望ましい特性には、周波数選択的なスケジューリングをすることができること、及びセル間干渉を緩和することができることが含まれる。
【０１３７】
この寄稿において、本発明者らは、周波数スケジューリング利得及びセル間干渉調整、並びにその「フォールバック」動作をサポートするｅＰＤＣＣＨの探索空間の設計を議論する。
【０１３８】
２．詳説
２．１．周波数スケジューリング利得の検討
レガシーＰＤＣＣＨの場合、ＵＥは、ＰＤＣＣＨ候補のセットを監視し、監視したＤＣＩフォーマットに従ってセット内のＰＤＣＣＨのそれぞれの復号化を試みるものとする。監視するＰＤＣＣＨ候補のセットは、参考文献［２］のセクション９．１．１に記載されているように、探索空間の観点から規定される。
【０１３９】
１つのオプションは、レガシーＰＤＣＣＨ探索空間の設計をｅＰＤＣＣＨに再利用することである。しかしながら、ＰＤＣＣＨ  ＲＥＧは、インターリーブされ、帯域幅全体に及んでいるので、この場合、ＵＥがより良好なチャネル条件を有する周波数でｅＰＤＣＣＨを送信することによって利用可能となる周波数選択利得を利用することは可能ではない。
【０１４０】
１つのｅＰＤＣＣＨは、ｅＣＣＥと呼ばれる要素のアグリゲーションからなる。図３は、ＰＲＢペア内におけるｅＣＣＥ配分の一例を示している（ｅＣＣＥ配分の正確な方法は、３ＧＰＰによってまだ決定されていない）。各ｅＣＣＥは、レガシーＰＤＣＣＨ  ＣＣＥと同じ３６個のＲＥを占有する。各ｅＣＣＥは、ＰＲＢペア内の固定ロケーションから開始する。この例では、１つのＰＲＢペアは、Ｎ＝３個のｅＣＣＥをサポートする。レガシーＰＤＣＣＨがサブフレームに存在しない場合、ＰＲＢペア当たりのｅＣＣＥの数は、Ｎ＝４とすることができる。
【０１４１】
ここに与えられた例は、通常のサブフレーム用のレガシーＰＤＣＣＨを含むが、この設計におけるｅＰＤＣＣＨの展開のシナリオは、汎用的とみなされ、ＭＢＳＦＮサブフレーム、セカンダリーコンポーネントキャリア、及び新たなキャリアタイプのサポートを提供することができる。
【０１４２】
探索空間は、ｅＰＤＣＣＨの集合体からなる。ＵＥは、あらゆるサブフレームにおいてその探索空間内の全てのｅＰＤＣＣＨを監視して、ｅＮＢからのスケジューリンググラントを検出しなければならない。したがって、探索空間のサイズは、ＵＥに対する処理負担を最小にするために可能な限り小さくあるべきであるが、探索空間が小さいほど、ｅＮＢのスケジューリングアルゴリズムに課される制限も大きくなる。
【０１４３】
１つのｅＰＤＣＣＨを構成するｅＣＣＥの数は、アグリゲーションレベルと呼ばれ、ＵＥの探索空間は、複数のアグリゲーションレベルが混合した複数のｅＰＤＣＣＨを含む。表３は、ＵＥの探索空間の一般的なサイズを示している。このサイズは、レガシーＰＤＣＣＨの探索空間のサイズに基づいている。しかしながら、ｅＰＤＣＣＨの探索空間の実際のサイズは、３ＧＰＰによってまだ規定されておらず、上位レイヤシグナリングによって構成可能な場合さえある。
【０１４４】
ＵＥのｅＰＤＣＣＨが送信されるとき、このｅＰＤＣＣＨを周波数領域における最良のロケーションに配置するために、各ＵＥの、そのＵＥによって実行される周期的なＣＱＩ測定に基づく探索空間の動的な構成が必要である。これを達成するための方法が、次のセクションにおいて説明される。
【０１４５】
以下では、「ＰＲＢ」は、「ＰＲＢペア」の省略表現として用いられることに留意されたい。
【０１４６】
【表３】
0005930241.tif 000009
【０１４７】
２．２．ＣＱＩに基づく探索空間選択
システム帯域幅におけるｅＣＣＥの総数をＮｅＣＣＥとし、各ｅＣＣＥを一意に識別するインデックスを０≦ｉ＜ＮｅＣＣＥとする。ｅＣＣＥは、周波数の低いものからの順で番号付けされるものと仮定する。具体的には、ｉ２＞ｉ１である場合、ｅＣＣＥ番号ｉ２を含むＰＲＢのＰＲＢ番号は、ｅＣＣＥ番号ｉ１を含むＰＲＢのＰＲＢ番号よりも小さくない。
【０１４８】
アグリゲーションレベルＬについて、第ｍのｅＰＤＣＣＨ候補は、条件ｉ＝ｍ・Ｌ＋ｌを満たすＬ個のｅＣＣＥの連続的なセットからなる。ここで、０≦ｌ＜Ｌであり、
【数６】
0005930241.tif 000010
である。
【０１４９】
上記は、各アグリゲーションレベルのｅＰＤＣＣＨ候補のセットを規定している。ＣＱＩに基づく探索空間選択の目的は、最良のチャネル品質を有するｅＰＤＣＣＨが選択されるように、これらのセットから取り出されたｅＰＤＣＣＨからなる各ＵＥ用の探索空間を構築することである。これは、以下の方法によって達成される。
【０１５０】
各ＵＥは、チャネル品質表示（ＣＱＩ）報告サブ帯域（以下、単にサブ帯域と呼ぶ）ごとにＣＱＩを報告するものと仮定する。ここで、ＣＱＩ報告サブ帯域は、連続的なＰＲＢのブロックである。サブ帯域のサイズ及びロケーションは、３ＧＰＰ仕様［３６．２１３参照］によるシステム帯域幅に依存する。
【０１５１】
各ＵＥ及び各アグリゲーションレベルについて、以下の手順が実行される。（この手順は、ＵＥ及びｅＮＢの双方が明示的なシグナリングを伴うことなく探索空間を決定することができるように、これらの双方によって実行される）。
１．このＵＥにとって最良のＣＱＩを有するサブ帯域（又は複数のサブ帯域）を見つける。
２．ステップ１において選択された単数又は複数のサブ帯域に属するアグリゲーションレベルＬの全てのｅＰＤＣＣＨ候補を見つける。ｅＰＤＣＣＨ候補ｍは、このｅＰＤＣＣＨ候補におけるｅＣＣＥの半分よりも多くがサブ帯域内に存在する場合、又はこのｅＰＤＣＣＨ候補のｅＣＣＥの正確に半分が最後のｅＣＣＥ（すなわち、ｅＣＣＥ番号ｉ＝ｍ・Ｌ＋（Ｌ−１））を含むサブ帯域内に存在する場合に、そのサブ帯域に属すると言われる。
３．ステップ２において選択されたｅＰＤＣＣＨ候補のリストをｅＰＤＣＣＨ番号ｍの昇順でソートする。リスト上のｅＰＤＣＣＨ候補の数をＫとすると、リスト上の最初のＵＥ＿ＩＤ  ｍｏｄ  Ｋ個のエントリーを取り出し、末尾に配置する。ここで、整数ＵＥ＿ＩＤは、ＵＥ及びｅＮＢの双方に知られている任意のＵＥ固有の識別子とすることができる。
４．ステップ３において生成されたソート済みのリストからｅＰＤＣＣＨ候補を読み出し、ＵＥの探索空間に加える。探索空間が必要とされるサイズに達するまで、又はリストが使い尽くされるまで続ける。リストが使い尽くされ、探索空間が必要とされるサイズに到達していない場合、次に最良のＣＱＩを有するサブ帯域（又は複数のサブ帯域）を見つけ、ステップ２から繰り返す。
【０１５２】
この手順の一例は図４に示されている。
【０１５３】
上記の手順は、純粋にアルゴリズム的な見地から説明されており、同じ結果に達するより効率的な実施態様が存在し得ることに留意されたい。例えば、実際には、ステップ３における説明によって暗に示されるようにＫ個のｅＰＤＣＣＨ候補のリスト全体を記憶及び操作する必要はない。なぜならば、一般に、それらの全てが探索空間に含まれるとは限らないからである。
【０１５４】
ステップ２において、ｅＰＤＣＣＨ候補がサブ帯域に属すると判定するための判定基準は、オプションとして、ｅＰＤＣＣＨ候補の最後の（又は代替的に最初の）ｅＣＣＥがサブ帯域内に存在するか否かを調べることによって簡略化することができる。
【０１５５】
ステップ３の目的は、同じ最良のＣＱＩのサブ帯域を共有するＵＥが同じｅＰＤＣＣＨ候補を選択することを防止するように試みることである。これは、ＵＥ＿ＩＤに基づく循環シフトに従ってｅＰＤＣＣＨ候補を再順序付けすることによって行われるが、他の再順序付け方法（例えば、ＵＥ＿ＩＤに基づく擬似ランダムの再順序付け）も適用することができる。
【０１５６】
上記では、探索空間選択手順はアグリゲーションレベルごとに繰り返されることが述べられている。代替的に、この手順は、最も高いアグリゲーションレベルのみに適用することができる。最も高いアグリゲーションレベルのｅＰＤＣＣＨ候補が取得されると、これらのｅＰＤＣＣＨ候補は、次に細分されて、下位のアグリゲーションレベル（各レベルにおいて必要とされるｅＰＤＣＣＨ候補の数のみを維持する）のｅＰＤＣＣＨ候補が取得される。これは、この手順を僅かに単純化し、ｅＣＣＥの同じセットがアグリゲーションレベルごとに再利用されることも保証し、それによって、ＵＥにおける処理の複雑さを削減することができる。
【０１５７】
探索空間内のｅＰＤＣＣＨは、チャネル品質の高いものから順にソートされるので、ｅＮＢは、ＵＥに送信するときに可能な限り探索空間内の最初のｅＰＤＣＣＨを用いるように試みるべきである。同様に、ＵＥは、平均復号化遅延を削減するために、同じ順序での復号化を試みるべきである。
【０１５８】
上記手順によれば、所与のＵＥの探索空間は、新たなＣＱＩ報告が生成されたときに変化する場合があることに留意されたい。しかしながら、ＵＥにおいてＣＱＩを測定することと、ＣＱＩ報告がｅＮＢにおいて受信されて処理されることとの間に少数のサブフレームの有限遅延が存在するので、古い探索空間と新たな探索空間との間の切り替えを、ｅＮＢ及びＵＥの双方が同じサブフレームにおいて切り替えを実行するように同期させる注意を払わなければならない。これは、ｅＮＢ及びＵＥの双方が、ＣＱＩ報告がｅＮＢに送信された後に固定数のサブフレームにこの変更を適用することに同意することによって行うことができる。この遅延は、別個の（上位レイヤ）シグナリングによって構成することもできるし、上記仕様における定数として固定することもできる。
【０１５９】
提案１：ＵＥからのＣＱＩ報告に基づくＵＥ固有探索空間の動的な構成を考慮する。各ＵＥ固有探索空間は、セル内の全てのｅＰＤＣＣＨ候補からの最良のｅＰＤＣＣＨからなる。ＵＥは、チャネル品質（ＣＱＩ）の高いものから順にｅＰＤＣＣＨを探索する。探索空間のサイズは、上位レイヤが再構成可能とすることができる。
【０１６０】
２．３．セル間干渉調整
セル間のｅＰＤＣＣＨ干渉を低減するために、接近した近隣セルにおいて同じＰＲＢが用いられないように各セルにおいてｅＰＤＣＣＨを送信するのにどのＰＲＢを用いることができるのかを制限することを選ぶことができる。
【０１６１】
この場合、前のセクションで説明したｅＣＣＥ番号付けは、所与のセルにおいてｅＰＤＣＣＨ送信に利用可能なＰＲＢのみを考慮して実行される。他のＰＲＢは省略されている（すなわち、他のＰＲＢはｅＣＣＥを含まない）。ＣＱＩに基づく探索空間選択手順の残りの部分は、その後、前のセクションで説明したように正確に実行される。
【０１６２】
各セルがどのＰＲＢを用いることができるのかを制御するために、各セルに、ＰＲＢのセットを識別する割り当てＩＤを与えることができる。これを行う１つの方法は、以下のように、セルＩＤから割り当てＩＤを求めることである。
割り当てＩＤ＝セルＩＤ  ｍｏｄ  Ｐ
ここで、ＰはＰＲＢセットの数である。
【０１６３】
さらに、以下のように、例えば、現在のサブフレーム番号を用いることによって、特定のセルにおける割り当てＩＤを経時的に変化させることができる。
割り当てＩＤ＝（セルＩＤ＋Ｓｕｂｆｒａｍｅ＿Ｎｕｍｂｅｒ）ｍｏｄ  Ｐ
【０１６４】
以下のように、割り当てＩＤによって選択されるＰＲＢセットの規定のための２つのオプションが存在する。
・タイプ０：１つのセルにおいて用いられるＰＲＢペアがシステム帯域幅内の周波数領域において局所化している（すなわち、連続的である）局所送信。
・タイプ１：１つのセルにおいて用いられるＰＲＢペアがシステム帯域幅内の周波数領域において分散している分散送信。
【０１６５】
表４は、５０個のＰＲＢ及びＰ＝３のシステム帯域幅に基づくセル固有探索空間の設計の一例を与えている。
【０１６６】
【表４】
0005930241.tif 000011
【０１６７】
提案２：干渉調整を達成するセルＩＤ及びサブフレーム番号に基づくセル固有探索空間の設計を考慮する。ｅＰＤＣＣＨ配分用に指定された帯域幅の小部分は、調整するセルの数に基づいて、上位レイヤが再構成可能とすることができる。
【０１６８】
２．４．フォールバック動作
ｅＮＢは、時に、ＵＥによって送信されたＣＱＩ報告を正しく復号化するのに失敗する場合がある。この場合、ｅＮＢは、ＵＥが前提とするＣＱＩに基づく探索空間を知らず、そのため、スケジューリンググラントをＵＥに送信することができない。この状況から回復するために、ＵＥのＣＱＩに基づく探索空間に加えて、あらゆるＵＥが絶えず監視しなければならない「フォールバック」探索空間を導入することが必要である。
【０１６９】
このフォールバック探索空間は、サブ帯域ＣＱＩ報告を生成しないＵＥにも用いることができる。
【０１７０】
フォールバック探索空間は、ＣＱＩに基づく探索空間にも用いられるｅＣＣＥを用いる。任意の所与のサブフレームにおいて、フォールバックｅＰＤＣＣＨを送信するのに用いられないフォールバック探索空間における任意のｅＣＣＥを用いて、ＣＱＩに基づくｅＰＤＣＣＨを送信することができる（この逆も同様である）。
【０１７１】
フォールバック探索空間に用いられるアグリゲーションレベルをＬとする。探索空間のサイズは、Ｌ個のｅＣＣＥの任意の倍数（すなわち、ｅＰＤＣＣＨの全数）とすることができ、正確なサイズは、システム帯域幅及び予想されるトラフィックに基づいて選ばれるものと仮定する。
【０１７２】
以下のように、フォールバック探索空間の２つの重要な設計考慮事項がある。
１．信頼性のある送信を得るために、各フォールバックｅＰＤＣＣＨが周波数ダイバーシティを用いて送信されることが好適である。すなわち、ｅＰＤＣＣＨを構成するｅＣＣＥは、周波数上、広く分散されるべきである。
２．フォールバックｅＰＤＣＣＨが送信されるとき、そのフォールバックｅＰＤＣＣＨと同じｅＣＣＥのうちのいずれかにマッピングされたどのＣＱＩに基づくｅＰＤＣＣＨも、同じサブフレームにおいても送信することができず、スケジューラアルゴリズムには制限が課される。そのようなブロッキングは最小にされるべきである。特に、これは各フォールバックｅＰＤＣＣＨがＣＱＩに基づくｅＰＤＣＣＨと重複する数は、可能な限り少なくされるべきであるということを示唆している。
【０１７３】
フォールバック探索空間を構築するための１つの方法は、以下のように説明される。
【０１７４】
システム帯域幅における全てのｅＣＣＥは、サイズＢのｅＣＣＥの連続的なブロックに分割される。次に、これらのブロックのサブセットが、フォールバック探索空間を含むように選択される。フォールバック探索空間に必要とされるｅＣＣＥの総数をＮＦＢ（Ｌの倍数であり、ｅＰＤＣＣＨのサイズである）とし、セル内で利用可能なｅＣＣＥの総数をＮｅＣＣＥとすると、フォールバック空間を搬送するのに用いられるブロックを選択する１つの方法は、以下によって与えられるｅＣＣＥ番号から開始するブロックを用いることである。
【数７】
0005930241.tif 000012
式中、
【数８】
0005930241.tif 000013
は、「床」関数を示し、
【数９】
0005930241.tif 000014
は、「天井」関数を示す。これは、フォールバック空間のブロックを利用可能な全ｅＣＣＥにわたって可能な限り均等に分散させる効果を有する。
【０１７５】
（例えば、Ｂ＝４、ＮｅＣＣＥ＝４８、及びＮＦＢ＝３２である場合、ｅＣＣＥ番号０、４、１２、１６、２４、２８、３６、及び４０から開始するブロックが用いられる。このケースは図５に示されている。この図は、Ｐ＝３個のセルを用いた干渉調整も前提としている。）
【０１７６】
Ｂの任意の値を用いることができるが、ブロッキングの性能は、一般に、ＢがＣＱＩに基づく探索空間に用いられるアグリゲーションレベルのうちの１つと一致するように選ばれた場合に改善される。
【０１７７】
フォールバック探索空間を構成するｅＣＣＥを選択すると、次に残っているものは、個々のｅＰＤＣＣＨをこれらのｅＣＣＥにマッピングすることである。上記手順によって選択されたＮＦＢ個のｅＣＣＥのリスト内へのｅＣＣＥインデックスをｊとする。フォールバック探索空間における第ｊのｅＣＣＥは、以下の式によって与えられる第ｍのｅＰＤＣＣＨに割り当てることができる。
【数１０】
0005930241.tif 000015
【０１７８】
式中、Ｓは、Ｌの任意の約数とすることができる（例えば、Ｌ＝８である場合、Ｓは、１、２、４、又は８とすることができる）。Ｓの値は、各ｅＰＤＣＣＨに属するｅＣＣＥの周波数分布の程度を制御する。Ｓ＝１の場合は、完全な分散に対応し、Ｓ＝Ｌは、完全な局所化に対応する。中間の値は、「ブロックが分散している」。
【０１７９】
Ｓ＝１は、フォールバック探索空間とＣＱＩに基づく探索空間との間のブロッキングが相対的に不十分になることを犠牲にするが、最良の周波数ダイバーシティを提供する。Ｓの中間の値は、これらの２つの要件間の良好なトレードオフを表す。
【０１８０】
幾つかの例が図５に示されている。
【０１８１】
提案３：全てのＵＥに共通のフォールバック探索空間を提供して、ＣＱＩ復号化の失敗からの回復を可能にする。
【０１８２】
２．５．ｅＮＢへのアップリンク通知を有するＵＥ探索空間選択
上記に説明したＣＱＩに基づく探索空間選択手順では、探索空間は、ＣＱＩ報告に基づいてｅＮＢ及びＵＥにおいて別々に計算される。代替の手法は、探索空間のセットを事前に規定するとともに、ＵＥが、その好ましい探索空間をこのセットから選択して、その選択したものをｅＮＢに報告することを可能にすることである。この場合、探索空間選択の厳密な方法は、ＵＥ設計者の決定に委ねることができる。
【０１８３】
この方法の利点は、この方法によって、異なる探索空間におけるＵＥ間のブロッキングの可能性がより低くなるように、事前に規定される探索空間を規定することが可能になる一方、それでも、ＵＥがその現在のチャネル状態にとって最も好都合な探索空間を選ぶことを可能にすることによって、周波数選択利得が提供されるということである。
【０１８４】
この方法は、或る新たなアップリンクシグナリングを必要とする。例えば、１６個の探索空間のセットが規定されていた場合、選ばれたものは、ＵＥからｅＮＢへの４ビット値の送信によって示すことができる。１つのオプションは、このシグナリングを、ＵＥからｅＮＢに送信される既存のＣＱＩ報告に追加することである。
【０１８５】
２．６．その他の論点
提案したｅＰＤＣＣＨ探索空間の設計は、キャリアアグリゲーションのシナリオのサポートに影響を及ぼさないことに留意されたい。既存のＵＥ監視手順及びＤＣＩフォーマットを再利用することができる。ｅＮＢがプライマリーセル上でセカンダリーコンポーネントキャリアをスケジューリングするクロスキャリアスケジューリングの場合、ｅＰＤＣＣＨはプライマリーセル内で送信されるので、プライマリーセルのＣＱＩフィードバックが用いられるべきである。同様に、プライマリーセルのセルＩＤのみが、セル固有探索空間の配分に必要とされるべきである。この場合、キャリア表示フィールドを用いて構成されたＵＥによって監視されるｅＰＤＣＣＨ候補の数（すなわち、探索空間のサイズ）は、［２］に記載されているように、既存の式ｍ’＝ｍ＋Ｍ（Ｌ）・ｎＣＩに基づくことができる。
【０１８６】
参考文献
［１］RAN1 Chairman’s Notes, RAN１#66bis
［２］3GPP, TR36.213(V10.5.0）,「E-UTRA; Physical layer procedures」March 2012.
【０１８７】
本出願は、２０１２年５月１０日に出願された英国特許出願第１２０８２３６．８号を基礎としており、この英国特許出願の優先権の利益を主張する。この英国特許出願の開示は、引用することによりその全体が本明細書の一部をなす。
【図１】
0005930241.tif 000016
【図２】
0005930241.tif 000017
【図３】
0005930241.tif 000018
【図４】
0005930241.tif 000019
【図５】
0005930241.tif 000020
【図６】
0005930241.tif 000021
【図７】
0005930241.tif 000022
【図８】
0005930241.tif 000023
【図９】
0005930241.tif 000024
【図１０】
0005930241.tif 000025
【図１１】
0005930241.tif 000026